(57)【特許請求の範囲】
【請求項１】
局側装置と複数の加入者装置が光ネットワークで接続されている光通信システムにおいて、
上記局側装置は、一時的な消光を指示する一時消光指示コマンドを上記複数の加入者装置へ選択的に送信する一時消光指示コマンド送信手段と、上記一時消光指示コマンド送信手段により一時消光指示コマンドが送信された加入者装置が光信号の発光を一時的に停止して、他の加入者装置との通信状況が改善すれば、当該加入者装置が消光不良状態にある加入者装置であると特定する不良装置特定手段と、常時の消光を指示する常時消光指示コマンドを上記不良装置特定手段により特定された加入者装置に送信する常時消光指示コマンド送信手段とを備え、
上記複数の加入者装置は、消光設定を記憶する記憶回路と、上記局側装置の一時消光指示コマンド送信手段から一時消光指示コマンドを受信すると、光送信部における光信号の発光を一時的に停止し、上記局側装置の常時消光指示コマンド送信手段から常時消光指示コマンドを受信すると、上記記憶回路に記憶される消光設定を常時消光に設定するとともに上記光送信部における光信号の発光を停止する光送信部制御手段を備え、上記光送信部制御手段は、当該加入者装置の電源が再投入された場合に上記記憶回路に記憶されている常時消光の設定に基づき発光の停止状態を維持することを特徴とする光通信システム。
【請求項２】
上記不良装置特定手段は、他の加入者装置との通信状況の改善を、リンクアップ数の増加により判定することを特徴とする請求項１記載の光通信システム。
【請求項３】
上記不良装置特定手段は、他の加入者装置との通信状況の改善を、上りエラーレートの統計情報の改善により判定することを特徴とする請求項１記載の光通信システム。
【請求項４】
局側装置と複数の加入者装置が光ネットワークで接続されている光通信システムにおいて、
上記局側装置は、一時的な消光を指示する一時消光指示コマンドを上記複数の加入者装置へ一斉送信する一時消光指示コマンド送信手段と、上記一時消光指示コマンド送信手段から一時消光指示コマンドが送信されたのち、発光を指示する発光指示コマンドを上記複数の加入者装置へ選択的に送信する発光指示コマンド送信手段と、上記発光指示コマンド送信手段により発光指示コマンドが送信された加入者装置が光信号の発光を開始して、他の加入者装置との通信状況が劣化すれば、発光を開始した加入者装置が消光不良状態にある加入者装置であると特定する不良装置特定手段と、常時の消光を指示する常時消光指示コマンドを上記不良装置特定手段により特定された加入者装置に送信する常時消光指示コマンド送信手段とを備え、
上記複数の加入者装置は、消光設定を記憶する記憶回路と、上記局側装置の一時消光指示コマンド送信手段から一時消光指示コマンドを受信すると、光送信部における光信号の発光を一時的に停止し、上記局側装置の発光指示コマンド送信手段から発光指示コマンドを受信すると、上記光送信部における光信号の発光を開始し、上記局側装置の常時消光指示コマンド送信手段から常時消光指示コマンドを受信すると、上記記憶回路に記憶される消光設定を常時消光に設定するとともに上記光送信部における光信号の発光を停止する光送信部制御手段を備え、上記光送信部制御手段は、当該加入者装置の電源が再投入された場合に上記記憶回路に記憶されている常時消光の設定に基づき発光の停止状態を維持することを特徴とする光通信システム。
【請求項５】
上記不良装置特定手段は、他の加入者装置との通信状況の劣化を、リンクダウンにより判定することを特徴とする請求項４記載の光通信システム。
【請求項６】
局側装置と光ネットワークで接続されている加入者装置において、消光設定を記憶する記憶回路と、上記局側装置から一時消光指示コマンドを受信すると、光送信部における光信号の発光を一時的に停止し、上記局側装置から常時消光指示コマンドを受信すると、上記記憶回路に記憶される消光設定を常時消光に設定するとともに上記光送信部における光信号の発光を停止する光送信部制御手段を備え、上記光送信部制御手段は、当該加入者装置の電源が再投入された場合に上記記憶回路に記憶されている常時消光の設定に基づき発光の停止状態を維持することを特徴とする加入者装置。
【発明の詳細な説明】
【技術分野】
【０００１】
この発明は、局側装置である親局（ＯＬＴ：Ｏｐｔｉｃａｌ  Ｌｉｎｅ  Ｔｅｒｍｉｎａｌ）と複数の加入者装置である子局（ＯＮＵ：Ｏｐｔｉｃａｌ  Ｎｅｔｗｏｒｋ  Ｕｎｉｔ）とが光信号を送受信する光通信システム、特にＧＥ−ＰＯＮ（Ｇｉｇａｂｉｔ  Ｅｔｈｅｒｎｅｔ（登録商標）  Ｐａｓｓｉｖｅ  Ｏｐｔｉｃａｌ  Ｎｅｔｗｏｒｋ）システムおよび加入者装置に関するものである。
【背景技術】
【０００２】
従来のＧＥ−ＰＯＮシステムは、ＯＬＴと複数のＯＮＵが光データ通信ネットワークを使用して、光信号の双方向通信を行うシステムであって、１本の幹線光ファイバを複数のＯＮＵで共有するＰＯＮシステムである。
ＧＥ−ＰＯＮシステムでは、ＯＬＴが下りパケット（光信号）を複数のＯＮＵに配信する際には、下りパケットを放送形態で配信する方式を採用している。
一方、ＯＮＵが上りパケット（光信号）をＯＬＴに配信する際には、何らかの交通整理をしないと衝突するので、ＯＬＴがＯＮＵから配信される上りパケットを制御して、時分割で送信させるようにしている。
【０００３】
ただし、ＯＮＵの光リンク回路が故障すると、消光不良状態に陥り、ＯＬＴが光信号を送受信することができなくなることがある。例えば、以下の特許文献１には、ＯＮＵの故障を判別する技術が開示されている。
具体的には、以下の判別技術が開示されている。
まず、ＯＬＴが複数のＯＮＵを１つずつ指定して、ＯＮＵの発光を消光制御するコマンドを含む信号を下り送信する。
各ＯＮＵは、ＯＬＴから発光を消光制御するコマンドを含む信号を受信すると、自局の発光を消光する。
ＯＬＴは、消光不良状態に陥っているＯＮＵが自局の発光を消光すると、今まで継続して受信していた光信号が消滅するので、そのことをもって、当該ＯＮＵが故障していると判別する。
【０００４】
ここで、消光不良状態にあるＯＮＵを検出したとき、当該ＯＮＵを隔離する方法として、次のような方法が採用されている。
まず、ＯＬＴが消光不良状態に陥っているＯＮＵの光送信部を消光制御するコマンドを発行する。
ＯＮＵは、ＯＬＴから発行された光送信部を消光制御するコマンドを受信すると、光送信部に供給する電源を止めることにより、上りの光信号の出力を停止させるようにする。
これにより、消光不良状態に陥っているＯＮＵがシステムから隔離されることになる。
【０００５】
【特許文献１】特開２００４−１１２７４６号公報（段落番号［００３３］、図９）
【発明の開示】
【発明が解決しようとする課題】
【０００６】
従来の光通信システムは以上のように構成されているので、消光不良状態にあるＯＮＵを検出する際、システム保守者が手動で、ＯＬＴの配下にあるＯＮＵを一つずつ指定して、消光制御するコマンドを発行する必要があり、多くの手間を要する課題があった。
また、消光不良状態に陥っているＯＮＵをシステムから隔離しても、システム保守者が、そのＯＮＵの修理前又は交換前に、そのＯＮＵの電源を再投入してしまうと、消光不良が再現してしまう課題もあった。
【０００７】
この発明は上記のような課題を解決するためになされたもので、システム保守者が手動でＯＮＵを指定して、消光制御するコマンドを発行するなどの手間を要することなく、簡単に、消光不良状態にあるＯＮＵを特定することができるとともに、消光不良状態にあるＯＮＵを確実にシステムから隔離することができる光通信システムを得ることを目的とする。
【課題を解決するための手段】
【０００８】
この発明に係る光通信システムは、局側装置が、一時的な消光を指示する一時消光指示コマンドを複数の加入者装置へ選択的に送信する一時消光指示コマンド送信手段と、一時消光指示コマンド送信手段により一時消光指示コマンドが送信された加入者装置が光信号の発光を一時的に停止して、他の加入者装置との通信状況が改善すれば、当該加入者装置が消光不良状態にある加入者装置であると特定する不良装置特定手段と、常時の消光を指示する常時消光指示コマンドを不良装置特定手段により特定された加入者装置に送信する常時消光指示コマンド送信手段とを備え、複数の加入者装置は、消光設定を記憶する記憶回路と、局側装置の一時消光指示コマンド送信手段から一時消光指示コマンドを受信すると、光送信部における光信号の発光を一時的に停止し、局側装置の常時消光指示コマンド送信手段から常時消光指示コマンドを受信すると、記憶回路に記憶される消光設定を常時消光に設定するとともに光送信部における光信号の発光を停止する光送信部制御手段を備え、光送信部制御手段は、当該加入者装置の電源が再投入された場合に記憶回路に記憶されている常時消光の設定に基づき発光の停止状態を維持することを特徴とする。
【発明の効果】
【０００９】
この発明によれば、局側装置が、一時的な消光を指示する一時消光指示コマンドを複数の加入者装置へ選択的に送信する一時消光指示コマンド送信手段と、一時消光指示コマンド送信手段により一時消光指示コマンドが送信された加入者装置が光信号の発光を一時的に停止して、他の加入者装置との通信状況が改善すれば、当該加入者装置が消光不良状態にある加入者装置であると特定する不良装置特定手段と、常時の消光を指示する常時消光指示コマンドを不良装置特定手段により特定された加入者装置に送信する常時消光指示コマンド送信手段とを備え、複数の加入者装置は、消光設定を記憶する記憶回路と、局側装置の一時消光指示コマンド送信手段から一時消光指示コマンドを受信すると、光送信部における光信号の発光を一時的に停止し、局側装置の常時消光指示コマンド送信手段から常時消光指示コマンドを受信すると、記憶回路に記憶される消光設定を常時消光に設定するとともに光送信部における光信号の発光を停止する光送信部制御手段を備え、光送信部制御手段は、当該加入者装置の電源が再投入された場合に記憶回路に記憶されている常時消光の設定に基づき発光の停止状態を維持するので、システム保守者が手動で加入者装置を指定して、消光制御するコマンドを発行するなどの手間を要することなく、簡単に、消光不良状態にある加入者装置を特定することができるとともに、システム保持者が消光不良状態に陥っている加入者装置の修理前又は交換前に、その加入者装置の電源を再投入しても、光送信部における発光の停止状態を維持することができる効果がある。
【発明を実施するための最良の形態】
【００１０】
実施の形態１．
図１はこの発明の実施の形態１による光通信システムを示す構成図であり、図において、局側装置であるＯＬＴ（Ｏｐｔｉｃａｌ  Ｌｉｎｅ  Ｔｅｒｍｉｎａｌ）１は、光ネットワーク５を介して、複数の加入者装置であるＯＮＵ２（Ｏｐｔｉｃａｌ  Ｎｅｔｗｏｒｋ  Ｕｎｉｔ）と接続されている。
図１では、３台のＯＮＵ２（ＯＮＵ＃ｎ，ＯＮＵ＃ｎ＋１，ＯＮＵ＃ｎ＋２）が接続されている例を示しているが、４台以上のＯＮＵ２が接続されていてもよいことは言うまでもない。また、図１では、ＯＮＵ２（ＯＮＵ＃ｎ）の内部構成を示しているが、ＯＮＵ２（ＯＮＵ＃ｎ＋１，ＯＮＵ＃ｎ＋２）の内部構成は、ＯＮＵ２（ＯＮＵ＃ｎ）の内部構成と同様である。
【００１１】
監視制御端末３は例えばシステム保守者の指示の下、消光不良状態にあるＯＮＵ２の特定指令（消光不良ＯＮＵ特定コマンド）を発行する端末である。
受動型光分岐器４は複数のＯＮＵ２を光ネットワーク５に接続するために、その光ネットワーク５を分岐しているネットワーク機器である。
なお、受動型光分岐器４から各ＯＮＵ２までの距離はＯＮＵ２毎に異なり、ＯＬＴ１から各ＯＮＵ２に送信される下り方向と、各ＯＮＵ２からＯＬＴ１に送信される上り方向とは、光伝送方向または波長の違いで分離している。
【００１２】
光送信部１１はＰＯＮインタフェース終端部１４の指示の下、電気信号（例えば、一時消光指示コマンドや常時消光指示コマンドを含むパケット）を光信号に変換して、その光信号をＯＮＵ２に送信するネットワークインタフェース機器である。
光受信部１２はＯＮＵ２から送信された光信号を電気信号に変換して、その電気信号をＰＯＮインタフェース終端部１４に出力するネットワークインタフェース機器である。
【００１３】
ＯＮＵリンクアップデータベース１３はＯＮＵ２（ＯＮＵ＃ｎ，ＯＮＵ＃ｎ＋１，ＯＮＵ＃ｎ＋２）のリンクアップ数をリアルタイムに記録する記憶装置である。
ＰＯＮインタフェース終端部１４は監視制御端末３からＯＮＵ２の特定指令（消光不良ＯＮＵ特定コマンド）を受けると、一時的な消光を指示する一時消光指示コマンドを複数のＯＮＵ２に順次送信する指示を光送信部１１に出力する処理のほか、一時消光指示コマンドが送信されたＯＮＵ２が光信号の発光を一時的に停止して、リンクアップ数が増えれば、当該ＯＮＵ２が消光不良状態にあるＯＮＵ２であると特定する処理や、常時の消光を指示する常時消光指示コマンドを消光不良状態にあると特定したＯＮＵ２に送信する指示を光送信部１１に出力する処理などを行う。
なお、光送信部１１及びＰＯＮインタフェース終端部１４から一時消光指示コマンド送信手段及び常時消光指示コマンド送信手段が構成されており、ＯＮＵリンクアップデータベース１３及びＰＯＮインタフェース終端部１４から不良装置特定手段が構成されている。
【００１４】
光受信部２１はＯＬＴ１から送信された光信号（例えば、一時消光指示コマンドや常時消光指示コマンドを含むパケット）を電気信号に変換して、その電気信号をＰＯＮインタフェース終端部２３に出力するネットワークインタフェース機器である。
光送信部２２はＰＯＮインタフェース終端部２３から出力された電気信号を光信号に変換して、その光信号をＯＬＴ１に送信するネットワークインタフェース機器である。
ＰＯＮインタフェース終端部２３は光受信部２１から出力された電気信号を終端するとともに、送信対象の電気信号を光送信部２２に出力する処理を実施する。
【００１５】
記憶回路２４は光送信部２２における現在の消光設定などを記憶するメモリである。
光送信部消光制御部２５は光受信部２１がＯＬＴ１から送信された一時消光指示コマンドを受信して、ＰＯＮインタフェース終端部２３が光送信部２２における現在の消光設定を“一時消光”に設定すると、光送信部２５における光信号の発光を一時的に停止し、また、光受信部２１がＯＬＴ１から送信された常時消光指示コマンドを受信して、ＰＯＮインタフェース終端部２３が光送信部２２における現在の消光設定を“常時消光”に設定すると、光送信部２５における光信号の発光を停止して、発光の停止状態を維持する処理を実施する。
なお、光受信部２１、ＰＯＮインタフェース終端部２３、記憶回路２４及び光送信部消光制御部２５から光送信部制御手段が構成されている。
【００１６】
図２はこの発明の実施の形態１による光通信システムの処理内容を示すフローチャートである。
図３はＯＬＴ１とＯＮＵ２が送受信するＭＡＣフレームを含むパケットを示すパケット構成図である。
ＭＡＣフレームは、ヘッダとデータに分かれた構成となっている。
ヘッダは、宛先アドレスＤＡ（ｄｅｓｔｉｎａｔｉｏｎ  ａｄｄｒｅｓｓ）、自己アドレスＳＡ（ｓｏｕｒｃｅ  ａｄｄｒｅｓｓ）、時間長ＬＥＮ（ｌｅｎｇｔｈ）などのデータで構成されている。
ＭＡＣフレームにはプリアンブルＰＡが付加されている。
プリアンブルＰＡは、データ同期をとるための部分、通信するＯＬＴ１（またはＯＮＵ２）を指定する端末ＩＤ、ＯＬＴ１からＯＮＵ２へのコマンド（またはＯＮＵ２からＯＬＴ１へのレスポンス）、各種パラメータ、誤りチェックコードＦＣＳ、スタートパケットデミリタＳＦＤの各バイトから構成されている。
【００１７】
次に動作について説明する。
いずれかのＯＮＵ２に消光不良が発生して、システム保守者が消光不良の発生を検出すると、監視制御端末３を操作して、消光不良状態にあるＯＮＵ２の特定を指示する。
これにより、監視制御端末３は、消光不良状態にあるＯＮＵ２の特定指令（消光不良ＯＮＵ特定コマンド）を発行し、消光不良ＯＮＵ特定コマンドをＯＬＴ１に送信する（ステップＳＴ１）。
【００１８】
ＯＬＴ１のＰＯＮインタフェース終端部１４は、監視制御端末３からＯＮＵ２の特定指令（消光不良ＯＮＵ特定コマンド）を受けると、一時的な消光を指示する一時消光指示コマンド（一定時間の消光を指示するコマンド）を複数のＯＮＵ２に順次送信する指示を光送信部１１に出力する。
図１の例では、３台のＯＮＵ２（ＯＮＵ＃ｎ，ＯＮＵ＃ｎ＋１，ＯＮＵ＃ｎ＋２）が接続されているので、３台のＯＮＵ２に対して、一時消光指示コマンドを順番に送信する指示を光送信部１１に出力する。
ＯＬＴ１の光送信部１１は、ＰＯＮインタフェース終端部１４の指示の下、電気信号である一時消光指示コマンドを含むパケット（図３を参照）を光信号に変換して、その光信号を複数のＯＮＵ２に順次送信する。
ここでは、説明の便宜上、最初に、光信号（一時消光指示コマンドを含むパケット）をＯＮＵ＃ｎに送信するものとする（ステップＳＴ２）。
【００１９】
ＯＮＵ２（ＯＮＵ＃ｎ）の光受信部２１は、ＯＬＴ１から送信された光信号（一時消光指示コマンドを含むパケット）を受信すると、その光信号を電気信号に変換し、その電気信号をＰＯＮインタフェース終端部２３に出力する。
ＯＮＵ２（ＯＮＵ＃ｎ）のＰＯＮインタフェース終端部２３は、光受信部２１から出力された電気信号が一時消光指示コマンドを含むパケットであれば、記憶回路２４に記録されている光送信部２２における現在の消光設定を“一時消光”に設定する。
【００２０】
ＯＮＵ２（ＯＮＵ＃ｎ）の光送信部消光制御部２５は、ＰＯＮインタフェース終端部２３が光送信部２２における現在の消光設定を“一時消光”に設定すると、光送信部２５における光信号の発光を一時的に停止する。即ち、光送信部２５から一定時間、光信号が発光されないようにする（一定時間が経過すると、光信号の発光を再開する）。
このとき、ＯＮＵ２（ＯＮＵ＃ｎ）が消光不良状態にあるＯＮＵであれば、ＯＮＵ＃ｎの光送信部２５が消光することにより、ＯＬＴ１は他のＯＮＵ２（ＯＮＵ＃ｎ＋１，ＯＮＵ＃ｎ＋２）から送信される光信号を正常に受信することが可能になり、ＯＮＵ２のリンクアップ数が増加する。
【００２１】
ＯＬＴ１のＰＯＮインタフェース終端部１４は、光送信部１１が一時消光指示コマンドをＯＮＵ２（ＯＮＵ＃ｎ）に送信することにより、そのＯＮＵ２（ＯＮＵ＃ｎ）が光信号の発光を一時的に停止すると、リンクアップ数が増えたか否かを判定する（ステップＳＴ３）。
即ち、ＰＯＮインタフェース終端部１４は、光受信部１２における光信号の受信状況を確認して、一時消光指示コマンドが発行された後のリンクアップ数（ＯＮＵ２（ＯＮＵ＃ｎ）の光送信部１１が消光しているときのリンクアップ数）を把握し、一時消光指示コマンドが発行された後のリンクアップ数が、ＯＮＵリンクアップデータベース１３に記録されているＯＮＵ２（ＯＮＵ＃ｎ，ＯＮＵ＃ｎ＋１，ＯＮＵ＃ｎ＋２）のリンクアップ数（一時消光指示コマンドが発行される前のリンクアップ数）より、増えているか否かを判定する。
【００２２】
ＰＯＮインタフェース終端部１４は、リンクアップ数が増えていれば、ＯＮＵ２（ＯＮＵ＃ｎ）が消光不良状態にあるＯＮＵであると特定し、ＯＮＵ２（ＯＮＵ＃ｎ）をシステムから隔離するために、常時の消光を指示する常時消光指示コマンドをＯＮＵ２（ＯＮＵ＃ｎ）に送信する指示を光送信部１１に出力する。
ＯＬＴ１の光送信部１１は、ＰＯＮインタフェース終端部１４の指示の下、電気信号である常時消光指示コマンドを含むパケット（図３を参照）を光信号に変換して、その光信号をＯＮＵ２（ＯＮＵ＃ｎ）に送信する（ステップＳＴ４）。
【００２３】
ＯＮＵ２（ＯＮＵ＃ｎ）の光受信部２１は、ＯＬＴ１から送信された光信号（常時消光指示コマンドを含むパケット）を受信すると、その光信号を電気信号に変換し、その電気信号をＰＯＮインタフェース終端部２３に出力する。
ＯＮＵ２（ＯＮＵ＃ｎ）のＰＯＮインタフェース終端部２３は、光受信部２１から出力された電気信号が常時消光指示コマンドを含むパケットであれば、記憶回路２４に記録されている光送信部２２における現在の消光設定を“常時消光”に設定する。
【００２４】
ＯＮＵ２（ＯＮＵ＃ｎ）の光送信部消光制御部２５は、ＰＯＮインタフェース終端部２３が光送信部２２における現在の消光設定を“常時消光”に設定すると、光送信部２５における光信号の発光を停止する。
なお、光送信部消光制御部２５は、記憶回路２４に記録されている消光設定が“常時消光”である限り、ＯＮＵ２（ＯＮＵ＃ｎ）の電源が再投入されても、光送信部２５における発光の停止状態を維持する。
【００２５】
ＯＬＴ１のＰＯＮインタフェース終端部１４は、リンクアップ数が増えていなければ、ＯＮＵ２（ＯＮＵ＃ｎ）が消光不良状態にあるＯＮＵではないと判定する。
ＯＬＴ１の光送信部１１は、ＰＯＮインタフェース終端部１４によりＯＮＵ２（ＯＮＵ＃ｎ）が消光不良状態ではないと判定されると、光信号（一時消光指示コマンドを含むパケット）をＯＮＵ＃ｎ＋１に送信する（ステップＳＴ５，ＳＴ２）。
【００２６】
ＯＮＵ２（ＯＮＵ＃ｎ＋１）の光受信部２１は、ＯＬＴ１から送信された光信号（一時消光指示コマンドを含むパケット）を受信すると、その光信号を電気信号に変換し、その電気信号をＰＯＮインタフェース終端部２３に出力する。
ＯＮＵ２（ＯＮＵ＃ｎ＋１）のＰＯＮインタフェース終端部２３は、光受信部２１から出力された電気信号が一時消光指示コマンドを含むパケットであれば、記憶回路２４に記録されている光送信部２２における現在の消光設定を“一時消光”に設定する。
【００２７】
ＯＮＵ２（ＯＮＵ＃ｎ＋１）の光送信部消光制御部２５は、ＰＯＮインタフェース終端部２３が光送信部２２における現在の消光設定を“一時消光”に設定すると、光送信部２５における光信号の発光を一時的に停止する。即ち、光送信部２５から一定時間、光信号が発光されないようにする（一定時間が経過すると、光信号の発光を再開する）。
このとき、ＯＮＵ２（ＯＮＵ＃ｎ＋１）が消光不良状態にあるＯＮＵであれば、ＯＮＵ＃ｎの光送信部２５が消光することにより、ＯＬＴ１は他のＯＮＵ２（ＯＮＵ＃ｎ＋２）から送信される光信号を正常に受信することが可能になり、ＯＮＵ２のリンクアップ数が増加する。
【００２８】
ＯＬＴ１のＰＯＮインタフェース終端部１４は、光送信部１１が一時消光指示コマンドをＯＮＵ２（ＯＮＵ＃ｎ＋１）に送信することにより、そのＯＮＵ２（ＯＮＵ＃ｎ＋１）が光信号の発光を一時的に停止すると、リンクアップ数が増えたか否かを判定する（ステップＳＴ３）。
即ち、ＰＯＮインタフェース終端部１４は、光受信部１２における光信号の受信状況を確認して、一時消光指示コマンドが発行された後のリンクアップ数（ＯＮＵ２（ＯＮＵ＃ｎ＋１）の光送信部１１が消光しているときのリンクアップ数）を把握し、一時消光指示コマンドが発行された後のリンクアップ数が、ＯＮＵリンクアップデータベース１３に記録されているＯＮＵ２（ＯＮＵ＃ｎ＋１，ＯＮＵ＃ｎ＋２）のリンクアップ数（一時消光指示コマンドが発行される前のリンクアップ数）より、増えているか否かを判定する。
【００２９】
ＰＯＮインタフェース終端部１４は、リンクアップ数が増えていれば、ＯＮＵ２（ＯＮＵ＃ｎ＋１）が消光不良状態にあるＯＮＵであると特定し、ＯＮＵ２（ＯＮＵ＃ｎ＋１）をシステムから隔離するために、常時の消光を指示する常時消光指示コマンドをＯＮＵ２（ＯＮＵ＃ｎ＋１）に送信する指示を光送信部１１に出力する。
ＯＬＴ１の光送信部１１は、ＰＯＮインタフェース終端部１４の指示の下、電気信号である常時消光指示コマンドを含むパケット（図３を参照）を光信号に変換して、その光信号をＯＮＵ２（ＯＮＵ＃ｎ＋１）に送信する（ステップＳＴ４）。
【００３０】
ＯＮＵ２（ＯＮＵ＃ｎ＋１）の光受信部２１は、ＯＬＴ１から送信された光信号（常時消光指示コマンドを含むパケット）を受信すると、その光信号を電気信号に変換し、その電気信号をＰＯＮインタフェース終端部２３に出力する。
ＯＮＵ２（ＯＮＵ＃ｎ＋１）のＰＯＮインタフェース終端部２３は、光受信部２１から出力された電気信号が常時消光指示コマンドを含むパケットであれば、記憶回路２４に記録されている光送信部２２における現在の消光設定を“常時消光”に設定する。
【００３１】
ＯＮＵ２（ＯＮＵ＃ｎ＋１）の光送信部消光制御部２５は、ＰＯＮインタフェース終端部２３が光送信部２２における現在の消光設定を“常時消光”に設定すると、光送信部２５における光信号の発光を停止する。
なお、光送信部消光制御部２５は、記憶回路２４に記録されている消光設定が“常時消光”である限り、ＯＮＵ２（ＯＮＵ＃ｎ＋１）の電源が再投入されても、光送信部２５における発光の停止状態を維持する。
【００３２】
ＰＯＮインタフェース終端部１４は、ＯＮＵ２（ＯＮＵ＃ｎ＋１）が消光不良状態にあるＯＮＵでないと判定すると、消光不良状態が未調査のＯＮＵ２が最後の１つであれば（ステップＳＴ５）、最後のＯＮＵ２が消光不良状態にあるＯＮＵであると特定する（ステップＳＴ６）。
この例では、消光不良状態が調査されていないＯＮＵ２は、ＯＮＵ＃ｎ＋２だけであるので、ＯＮＵ＃ｎ＋２が消光不良状態にあるＯＮＵであると特定する。
【００３３】
ＰＯＮインタフェース終端部１４は、ＯＮＵ２（ＯＮＵ＃ｎ＋２）が消光不良状態にあるＯＮＵであると特定すると、ＯＮＵ２（ＯＮＵ＃ｎ＋２）をシステムから隔離するために、常時の消光を指示する常時消光指示コマンドをＯＮＵ２（ＯＮＵ＃ｎ＋２）に送信する指示を光送信部１１に出力する。
ＯＬＴ１の光送信部１１は、ＰＯＮインタフェース終端部１４の指示の下、電気信号である常時消光指示コマンドを含むパケット（図３を参照）を光信号に変換して、その光信号をＯＮＵ２（ＯＮＵ＃ｎ＋２）に送信する（ステップＳＴ４）。
【００３４】
ＯＮＵ２（ＯＮＵ＃ｎ＋２）の光受信部２１は、ＯＬＴ１から送信された光信号（常時消光指示コマンドを含むパケット）を受信すると、その光信号を電気信号に変換し、その電気信号をＰＯＮインタフェース終端部２３に出力する。
ＯＮＵ２（ＯＮＵ＃ｎ＋２）のＰＯＮインタフェース終端部２３は、光受信部２１から出力された電気信号が常時消光指示コマンドを含むパケットであれば、記憶回路２４に記録されている光送信部２２における現在の消光設定を“常時消光”に設定する。
【００３５】
ＯＮＵ２（ＯＮＵ＃ｎ＋２）の光送信部消光制御部２５は、ＰＯＮインタフェース終端部２３が光送信部２２における現在の消光設定を“常時消光”に設定すると、光送信部２５における光信号の発光を停止する。
なお、光送信部消光制御部２５は、記憶回路２４に記録されている消光設定が“常時消光”である限り、ＯＮＵ２（ＯＮＵ＃ｎ＋２）の電源が再投入されても、光送信部２５における発光の停止状態を維持する。
【００３６】
以上で明らかなように、この実施の形態１によれば、監視制御端末３から消光不良状態にあるＯＬＴ２の特定指令を受けると、一時的な消光を指示する一時消光指示コマンドを複数のＯＬＴ２に順次送信し、一時消光指示コマンドが送信されたＯＮＵ２が光信号の発光を一時的に停止して、リンクアップ数が増えれば、当該ＯＮＵ２が消光不良状態にあるＯＮＵであると特定し、常時の消光を指示する常時消光指示コマンドを当該ＯＮＵ２に送信するＯＬＴ１を設け、複数のＯＮＵ２が、ＯＬＴ１から一時消光指示コマンドを受信すると、光送信部２２における光信号の発光を一時的に停止し、ＯＬＴ１から常時消光指示コマンドを受信すると、光送信部２２における光信号の発光を停止して、発光の停止状態を維持するように構成したので、システム保守者が手動でＯＮＵ２を指定して、消光制御するコマンドを発行するなどの手間を要することなく、簡単に、消光不良状態にあるＯＮＵ２を特定することができるとともに、消光不良状態にあるＯＮＵ２を確実にシステムから隔離することができる効果を奏する。
【００３７】
実施の形態２．
図４はこの発明の実施の形態２による光通信システムを示す構成図であり、図において、図１と同一符号は同一または相当部分を示すので説明を省略する。
ＰＯＮインタフェース終端部３１は監視制御端末３からＯＮＵ２の特定指令（消光不良ＯＮＵ特定コマンド）を受けると、一時的な消光を指示する一時消光指示コマンドを複数のＯＮＵ２に一斉送信する指示を光送信部１１に出力する処理や、光送信部１１から一時消光指示コマンドが送信されたのち、発光を指示する発光指示コマンドを複数のＯＮＵ２に順次送信する指示を光送信部１１に出力する処理のほか、発光指示コマンドが送信されたＯＮＵ２が光信号の発光を開始して、他のＯＮＵ２がリンクダウンすれば、当該ＯＮＵ２が消光不良状態にあるＯＮＵ２であると特定する処理や、常時の消光を指示する常時消光指示コマンドを消光不良状態にあると特定したＯＮＵ２に送信する指示を光送信部１１に出力する処理などを行う。
なお、光送信部１１及びＰＯＮインタフェース終端部３１から一時消光指示コマンド送信手段、発光指示コマンド送信手段及び常時消光指示コマンド送信手段が構成されており、ＯＮＵリンクアップデータベース１３及びＰＯＮインタフェース終端部３１から不良装置特定手段が構成されている。
【００３８】
光送信部消光制御部４１は光受信部２１がＯＬＴ１から送信された一時消光指示コマンドを受信して、ＰＯＮインタフェース終端部２３が光送信部２２における現在の消光設定を“一時消光”に設定すると、光送信部２５における光信号の発光を停止し、また、光受信部２１がＯＬＴ１から送信された発光指示コマンドを受信して、ＰＯＮインタフェース終端部２３が光送信部２２における現在の消光設定を“発光”に設定すると、光送信部２５における光信号の発光を開始し、また、光受信部２１がＯＬＴ１から送信された常時消光指示コマンドを受信して、ＰＯＮインタフェース終端部２３が光送信部２２における現在の消光設定を“常時消光”に設定すると、光送信部２５における光信号の発光を停止して、発光の停止状態を維持する処理を実施する。
なお、光受信部２１、ＰＯＮインタフェース終端部２３、記憶回路２４及び光送信部消光制御部４１から光送信部制御手段が構成されている。
図５はこの発明の実施の形態２による光通信システムの処理内容を示すフローチャートである。
【００３９】
次に動作について説明する。
いずれかのＯＮＵ２に消光不良が発生して、システム保守者が消光不良の発生を検出すると、監視制御端末３を操作して、消光不良状態にあるＯＮＵ２の特定を指示する。
これにより、監視制御端末３は、消光不良状態にあるＯＮＵ２の特定指令（消光不良ＯＮＵ特定コマンド）を発行し、消光不良ＯＮＵ特定コマンドをＯＬＴ１に送信する（ステップＳＴ１１）。
【００４０】
ＯＬＴ１のＰＯＮインタフェース終端部３１は、監視制御端末３からＯＮＵ２の特定指令（消光不良ＯＮＵ特定コマンド）を受けると、一時的な消光を指示する一時消光指示コマンド（発光指示コマンドを受信するまでの間、消光を指示するコマンド）を複数のＯＮＵ２に一斉送信する指示を光送信部１１に出力する。
図４の例では、３台のＯＮＵ２（ＯＮＵ＃ｎ，ＯＮＵ＃ｎ＋１，ＯＮＵ＃ｎ＋２）が接続されているので、３台のＯＮＵ２に対して、一時消光指示コマンドを一斉に送信する指示を光送信部１１に出力する。
ＯＬＴ１の光送信部１１は、ＰＯＮインタフェース終端部１４の指示の下、電気信号である一時消光指示コマンドを含むパケット（図３を参照）を光信号に変換して、その光信号を複数のＯＮＵ２（ＯＮＵ＃ｎ，ＯＮＵ＃ｎ＋１，ＯＮＵ＃ｎ＋２）に一斉送信する（ステップＳＴ１２）。
【００４１】
ＯＮＵ２（ＯＮＵ＃ｎ，ＯＮＵ＃ｎ＋１，ＯＮＵ＃ｎ＋２）の光受信部２１は、ＯＬＴ１から送信された光信号（一時消光指示コマンドを含むパケット）を受信すると、その光信号を電気信号に変換し、その電気信号をＰＯＮインタフェース終端部２３に出力する。
ＯＮＵ２（ＯＮＵ＃ｎ，ＯＮＵ＃ｎ＋１，ＯＮＵ＃ｎ＋２）のＰＯＮインタフェース終端部２３は、光受信部２１から出力された電気信号が一時消光指示コマンドを含むパケットであれば、記憶回路２４に記録されている光送信部２２における現在の消光設定を“一時消光”に設定する。
【００４２】
ＯＮＵ２（ＯＮＵ＃ｎ，ＯＮＵ＃ｎ＋１，ＯＮＵ＃ｎ＋２）の光送信部消光制御部４１は、ＰＯＮインタフェース終端部２３が光送信部２２における現在の消光設定を“一時消光”に設定すると、光送信部２５における光信号の発光を一時的に停止する。即ち、光受信部２１が発光指示コマンドを受信するまでの間、光送信部２５から光信号が発光されないようにする。
【００４３】
ＯＬＴ１のＰＯＮインタフェース終端部３１は、光送信部１１から一時消光指示コマンドが送信されて、ＯＮＵ２（ＯＮＵ＃ｎ，ＯＮＵ＃ｎ＋１，ＯＮＵ＃ｎ＋２）が光信号を消光すると、発光を指示する発光指示コマンドを複数のＯＮＵ２に順次送信する指示を光送信部１１に出力する。
図４の例では、３台のＯＮＵ２（ＯＮＵ＃ｎ，ＯＮＵ＃ｎ＋１，ＯＮＵ＃ｎ＋２）が接続されているので、３台のＯＮＵ２に対して、発光指示コマンドを順番に送信する指示を光送信部１１に出力する。
ＯＬＴ１の光送信部１１は、ＰＯＮインタフェース終端部３１の指示の下、電気信号である発光指示コマンドを含むパケット（図３を参照）を光信号に変換して、その光信号を複数のＯＮＵ２に順次送信する。
ここでは、説明の便宜上、最初に、光信号（発光指示コマンドを含むパケット）をＯＮＵ＃ｎに送信するものとする（ステップＳＴ１３）。
【００４４】
ＯＮＵ２（ＯＮＵ＃ｎ）の光受信部２１は、ＯＬＴ１から送信された光信号（発光指示コマンドを含むパケット）を受信すると、その光信号を電気信号に変換し、その電気信号をＰＯＮインタフェース終端部２３に出力する。
ＯＮＵ２（ＯＮＵ＃ｎ）のＰＯＮインタフェース終端部２３は、光受信部２１から出力された電気信号が発光指示コマンドを含むパケットであれば、記憶回路２４に記録されている光送信部２２における現在の消光設定を“発光”に設定する。
ＯＮＵ２（ＯＮＵ＃ｎ）の光送信部消光制御部４１は、ＰＯＮインタフェース終端部２３が光送信部２２における現在の消光設定を“発光”に設定すると、光送信部２５における光信号の発光を開始する。
【００４５】
ＯＬＴ１のＰＯＮインタフェース終端部３１は、光送信部１１が発光指示コマンドをＯＮＵ２（ＯＮＵ＃ｎ）に送信することにより、そのＯＮＵ２（ＯＮＵ＃ｎ）が光信号を発光すると、ＯＮＵ２（ＯＮＵ＃ｎ）が最初に発光指示コマンドが送信されたＯＮＵ２であるので（ステップＳＴ１４）、ここでは、ＯＮＵ２（ＯＮＵ＃ｎ）の消光不良状態を判別せずに、電気信号である発光指示コマンドを含むパケット（図３を参照）を光信号に変換して、その光信号をＯＮＵ２（ＯＮＵ＃ｎ＋１）に送信する（ステップＳＴ１３）。
【００４６】
ＯＮＵ２（ＯＮＵ＃ｎ＋１）の光受信部２１は、ＯＬＴ１から送信された光信号（発光指示コマンドを含むパケット）を受信すると、その光信号を電気信号に変換し、その電気信号をＰＯＮインタフェース終端部２３に出力する。
ＯＮＵ２（ＯＮＵ＃ｎ＋１）のＰＯＮインタフェース終端部２３は、光受信部２１から出力された電気信号が発光指示コマンドを含むパケットであれば、記憶回路２４に記録されている光送信部２２における現在の消光設定を“発光”に設定する。
【００４７】
ＯＮＵ２（ＯＮＵ＃ｎ＋１）の光送信部消光制御部４１は、ＰＯＮインタフェース終端部２３が光送信部２２における現在の消光設定を“発光”に設定すると、光送信部２５における光信号の発光を開始する。
このとき、ＯＮＵ２（ＯＮＵ＃ｎ＋１）が消光不良状態にあるＯＮＵであれば、ＯＮＵ２（ＯＮＵ＃ｎ＋１）の光送信部２５が光信号の発光を開始することにより、他のＯＮＵ２（ＯＮＵ＃ｎ）がリンクダウンする。
一方、ＯＮＵ２（ＯＮＵ＃ｎ）が消光不良状態にあるＯＮＵであれば、ＯＮＵ２（ＯＮＵ＃ｎ＋１）の光送信部２５が光信号の発光を開始しても、ＯＮＵ２（ＯＮＵ＃ｎ＋１）がリンクアップしない。
【００４８】
ＯＬＴ１のＰＯＮインタフェース終端部３１は、光送信部１１が発光指示コマンドをＯＮＵ２（ＯＮＵ＃ｎ＋１）に送信することにより、そのＯＮＵ２（ＯＮＵ＃ｎ＋１）が光信号を発光すると、ＯＮＵ２（ＯＮＵ＃ｎ＋１）が最初に発光指示コマンドが送信されたＯＮＵ２ではないので（ステップＳＴ１４）、他のＯＮＵ２（ＯＮＵ＃ｎ）がリンクダウンしたか否かを判定する（ステップＳＴ１５）。
即ち、ＰＯＮインタフェース終端部３１は、光受信部１２における光信号の受信状況を確認して、発光指示コマンドが発行された後のリンクアップ数（ＯＮＵ２（ＯＮＵ＃ｎ＋１）の光送信部１１が発光を開始した後のリンクアップ数）を把握し、発光指示コマンドが発行された後のリンクアップ数が、ＯＮＵリンクアップデータベース１３に記録されているＯＮＵ２（ＯＮＵ＃ｎ）のリンクアップ数（発光指示コマンドが発行される前のリンクアップ数）より、減っているか否かを判定する。
【００４９】
ＰＯＮインタフェース終端部３１は、他のＯＮＵ２（ＯＮＵ＃ｎ）がリンクダウンしていれば、ＯＮＵ２（ＯＮＵ＃ｎ＋１）が消光不良状態にあるＯＮＵであると特定し、ＯＮＵ２（ＯＮＵ＃ｎ＋１）をシステムから隔離するために、常時の消光を指示する常時消光指示コマンドをＯＮＵ２（ＯＮＵ＃ｎ＋１）に送信する指示を光送信部１１に出力する。
ＯＬＴ１の光送信部１１は、ＰＯＮインタフェース終端部３１の指示の下、電気信号である常時消光指示コマンドを含むパケット（図３を参照）を光信号に変換して、その光信号をＯＮＵ２（ＯＮＵ＃ｎ＋１）に送信する（ステップＳＴ１６）。
【００５０】
ＯＮＵ２（ＯＮＵ＃ｎ＋１）の光受信部２１は、ＯＬＴ１から送信された光信号（常時消光指示コマンドを含むパケット）を受信すると、その光信号を電気信号に変換し、その電気信号をＰＯＮインタフェース終端部２３に出力する。
ＯＮＵ２（ＯＮＵ＃ｎ＋１）のＰＯＮインタフェース終端部２３は、光受信部２１から出力された電気信号が常時消光指示コマンドを含むパケットであれば、記憶回路２４に記録されている光送信部２２における現在の消光設定を“常時消光”に設定する。
【００５１】
ＯＮＵ２（ＯＮＵ＃ｎ＋１）の光送信部消光制御部４１は、ＰＯＮインタフェース終端部２３が光送信部２２における現在の消光設定を“常時消光”に設定すると、光送信部２５における光信号の発光を停止する。
なお、光送信部消光制御部４１は、記憶回路２４に記録されている消光設定が“常時消光”である限り、ＯＮＵ２（ＯＮＵ＃ｎ＋１）の電源が再投入されても、光送信部２５における発光の停止状態を維持する。
【００５２】
ＯＬＴ１のＰＯＮインタフェース終端部３１は、ＯＮＵ２（ＯＮＵ＃ｎ＋１）が消光不良状態にあるＯＮＵでないと判別すると、ＯＮＵ２（ＯＮＵ＃ｎ＋１）がリンクアップしているか否かを判定し、ＯＮＵ２（ＯＮＵ＃ｎ＋１）がリンクアップしていなければ、ＯＮＵ２（ＯＮＵ＃ｎ）が消光不良状態にあるＯＮＵであると特定する。
ＰＯＮインタフェース終端部３１は、ＯＮＵ２（ＯＮＵ＃ｎ）が消光不良状態にあるＯＮＵであると特定すると、ＯＮＵ２（ＯＮＵ＃ｎ）をシステムから隔離するために、常時の消光を指示する常時消光指示コマンドをＯＮＵ２（ＯＮＵ＃ｎ）に送信する指示を光送信部１１に出力する。
ＯＬＴ１の光送信部１１は、ＰＯＮインタフェース終端部３１の指示の下、電気信号である常時消光指示コマンドを含むパケット（図３を参照）を光信号に変換して、その光信号をＯＮＵ２（ＯＮＵ＃ｎ）に送信する（ステップＳＴ１６）。
【００５３】
ＯＮＵ２（ＯＮＵ＃ｎ）の光受信部２１は、ＯＬＴ１から送信された光信号（常時消光指示コマンドを含むパケット）を受信すると、その光信号を電気信号に変換し、その電気信号をＰＯＮインタフェース終端部２３に出力する。
ＯＮＵ２（ＯＮＵ＃ｎ）のＰＯＮインタフェース終端部２３は、光受信部２１から出力された電気信号が常時消光指示コマンドを含むパケットであれば、記憶回路２４に記録されている光送信部２２における現在の消光設定を“常時消光”に設定する。
【００５４】
ＯＮＵ２（ＯＮＵ＃ｎ）の光送信部消光制御部４１は、ＰＯＮインタフェース終端部２３が光送信部２２における現在の消光設定を“常時消光”に設定すると、光送信部２５における光信号の発光を停止する。
なお、光送信部消光制御部４１は、記憶回路２４に記録されている消光設定が“常時消光”である限り、ＯＮＵ２（ＯＮＵ＃ｎ）の電源が再投入されても、光送信部２５における発光の停止状態を維持する。
【００５５】
ＯＬＴ１の光送信部１１は、ＰＯＮインタフェース終端部３１によりＯＮＵ２（ＯＮＵ＃１，ＯＮＵ＃ｎ＋１）が消光不良状態にあるＯＮＵでないと判別されると、電気信号である発光指示コマンドを含むパケット（図３を参照）を光信号に変換して、その光信号をＯＮＵ２（ＯＮＵ＃ｎ＋２）に送信する（ステップＳＴ１７，１３）。
【００５６】
ＯＮＵ２（ＯＮＵ＃ｎ＋２）の光受信部２１は、ＯＬＴ１から送信された光信号（発光指示コマンドを含むパケット）を受信すると、その光信号を電気信号に変換し、その電気信号をＰＯＮインタフェース終端部２３に出力する。
ＯＮＵ２（ＯＮＵ＃ｎ＋２）のＰＯＮインタフェース終端部２３は、光受信部２１から出力された電気信号が発光指示コマンドを含むパケットであれば、記憶回路２４に記録されている光送信部２２における現在の消光設定を“発光”に設定する。
【００５７】
ＯＮＵ２（ＯＮＵ＃ｎ＋２）の光送信部消光制御部４１は、ＰＯＮインタフェース終端部２３が光送信部２２における現在の消光設定を“発光”に設定すると、光送信部２５における光信号の発光を開始する。
このとき、ＯＮＵ２（ＯＮＵ＃ｎ＋２）が消光不良状態にあるＯＮＵであれば、ＯＮＵ＃ｎ＋２の光送信部２５が光信号の発光を開始することにより、他のＯＮＵ２（ＯＮＵ＃ｎ，ＯＮＵ＃ｎ＋１）がリンクダウンする。
【００５８】
ＯＬＴ１のＰＯＮインタフェース終端部３１は、光送信部１１が発光指示コマンドをＯＮＵ２（ＯＮＵ＃ｎ＋２）に送信することにより、そのＯＮＵ２（ＯＮＵ＃ｎ＋２）が光信号を発光すると、ＯＮＵ２（ＯＮＵ＃ｎ＋２）が最初に発光指示コマンドが送信されたＯＮＵ２ではないので（ステップＳＴ１４）、他のＯＮＵ２（ＯＮＵ＃ｎ，ＯＮＵ＃ｎ＋１）がリンクダウンしたか否かを判定する（ステップＳＴ１５）。
即ち、ＰＯＮインタフェース終端部３１は、光受信部１２における光信号の受信状況を確認して、発光指示コマンドが発行された後のリンクアップ数（ＯＮＵ２（ＯＮＵ＃ｎ＋２）の光送信部１１が発光を開始した後のリンクアップ数）を把握し、発光指示コマンドが発行された後のリンクアップ数が、ＯＮＵリンクアップデータベース１３に記録されているＯＮＵ２（ＯＮＵ＃ｎ，ＯＮＵ＃ｎ＋１）のリンクアップ数（発光指示コマンドが発行される前のリンクアップ数）より、減っているか否かを判定する。
【００５９】
ＰＯＮインタフェース終端部３１は、他のＯＮＵ２（ＯＮＵ＃ｎ，ＯＮＵ＃ｎ＋１）がリンクダウンしていれば、ＯＮＵ２（ＯＮＵ＃ｎ＋２）が消光不良状態にあるＯＮＵであると特定し、ＯＮＵ２（ＯＮＵ＃ｎ＋２）をシステムから隔離するために、常時の消光を指示する常時消光指示コマンドをＯＮＵ２（ＯＮＵ＃ｎ＋２）に送信する指示を光送信部１１に出力する。
ＯＬＴ１の光送信部１１は、ＰＯＮインタフェース終端部３１の指示の下、電気信号である常時消光指示コマンドを含むパケット（図３を参照）を光信号に変換して、その光信号をＯＮＵ２（ＯＮＵ＃ｎ＋２）に送信する（ステップＳＴ１６）。
【００６０】
ＯＮＵ２（ＯＮＵ＃ｎ＋２）の光受信部２１は、ＯＬＴ１から送信された光信号（常時消光指示コマンドを含むパケット）を受信すると、その光信号を電気信号に変換し、その電気信号をＰＯＮインタフェース終端部２３に出力する。
ＯＮＵ２（ＯＮＵ＃ｎ＋２）のＰＯＮインタフェース終端部２３は、光受信部２１から出力された電気信号が常時消光指示コマンドを含むパケットであれば、記憶回路２４に記録されている光送信部２２における現在の消光設定を“常時消光”に設定する。
【００６１】
ＯＮＵ２（ＯＮＵ＃ｎ＋２）の光送信部消光制御部４１は、ＰＯＮインタフェース終端部２３が光送信部２２における現在の消光設定を“常時消光”に設定すると、光送信部２５における光信号の発光を停止する。
なお、光送信部消光制御部４１は、記憶回路２４に記録されている消光設定が“常時消光”である限り、ＯＮＵ２（ＯＮＵ＃ｎ＋２）の電源が再投入されても、光送信部２５における発光の停止状態を維持する。
【００６２】
以上で明らかなように、この実施の形態２によれば、監視制御端末３から消光不良状態にあるＯＮＵ２の特定指令を受けると、一時的な消光を指示する一時消光指示コマンドを複数のＯＮＵ２に一斉送信し、その後、発光を指示する発光指示コマンドを複数のＯＮＵ２に順次送信し、発光指示コマンドが送信されたＯＮＵ２が光信号の発光を開始して、他のＯＮＵ２がリンクダウンすれば、発光を開始したＯＮＵ２が消光不良状態にあるＯＮＵであると特定して、常時の消光を指示する常時消光指示コマンドを当該ＯＮＵ２に送信するＯＬＴ１を設け、複数のＯＮＵ２が、ＯＬＴ１から消光指示コマンドを受信すると、光送信部２２における光信号の発光を停止し、ＯＬＴ１から発光指示コマンドを受信すると、光送信部２２における光信号の発光を開始し、ＯＬＴ１から常時消光指示コマンドを受信すると、光送信部２２における光信号の発光を停止して、発光の停止状態を維持するように構成したので、システム保守者が手動でＯＮＵ２を指定して、消光制御するコマンドを発行するなどの手間を要することなく、簡単に、消光不良状態にあるＯＮＵ２を特定することができるとともに、消光不良状態にあるＯＮＵ２を確実にシステムから隔離することができる効果を奏する。
【００６３】
実施の形態３．
図６はこの発明の実施の形態３による光通信システムを示す構成図であり、図において、図１と同一符号は同一または相当部分を示すので説明を省略する。
上り統計情報確認部５１は光受信部１２による光信号の受信状況から上りエラーレートを観測して、上りエラーレートの統計を示す統計情報を記録する処理を実施する。
ＰＯＮインタフェース終端部５２は図１のＰＯＮインタフェース終端部１４と同様の処理を実施するほかに、一時消光指示コマンドが送信されたＯＮＵ２が光信号の発光を一時的に停止して、上りエラーレートの統計情報が改善すれば、当該ＯＮＵ２が消光不良状態にあるＯＮＵ２であると特定する処理を実施する。
なお、光送信部１１及びＰＯＮインタフェース終端部５１から一時消光指示コマンド送信手段及び常時消光指示コマンド送信手段が構成されており、ＯＮＵリンクアップデータベース１３、上り統計情報確認部５１及びＰＯＮインタフェース終端部５２から不良装置特定手段が構成されている。
図７はこの発明の実施の形態３による光通信システムの処理内容を示すフローチャートである。
【００６４】
次に動作について説明する。
この実施の形態３では、上記実施の形態１と異なる部分のみを説明する。
ＯＬＴ１の上り統計情報確認部５１は、光受信部１２による光信号の受信状況を監視して、光信号の受信状況から上りエラーレートを観測し、上りエラーレートの統計を示す統計情報を記録する。
【００６５】
ＯＬＴ１のＰＯＮインタフェース終端部５２は、光送信部１１が一時消光指示コマンドを例えばＯＮＵ２（ＯＮＵ＃ｎ）に送信することにより、そのＯＮＵ２（ＯＮＵ＃ｎ）が光信号の発光を一時的に停止すると、上り統計情報確認部５１に記録されている上りエラーレートの統計情報を参照して、上りエラーレートの統計情報が改善しているか否かを判定する（ステップＳＴ２１）。
ＰＯＮインタフェース終端部５２は、上りエラーレートの統計情報が改善している場合、あるいは、上りエラーレートの統計情報が劣化していない場合、他のＯＮＵ２がリンクダウンに陥らなくても、消光不良状態にある可能性が高いので、そのＯＮＵ２（ＯＮＵ＃ｎ）をシステムから隔離するために、常時の消光を指示する常時消光指示コマンドをＯＮＵ２（ＯＮＵ＃ｎ）に送信する指示を光送信部１１に出力する。
ＯＬＴ１の光送信部１１は、ＰＯＮインタフェース終端部５２の指示の下、電気信号である常時消光指示コマンドを含むパケット（図３を参照）を光信号に変換して、その光信号をＯＮＵ２（ＯＮＵ＃ｎ）に送信する（ステップＳＴ４）。
【００６６】
以上で明らかなように、この実施の形態３によれば、監視制御端末３から消光不良状態にあるＯＬＴ２の特定指令を受けると、一時的な消光を指示する一時消光指示コマンドを複数のＯＬＴ２に順次送信し、一時消光指示コマンドが送信されたＯＮＵ２が光信号の発光を一時的に停止して、上りエラーレートの統計情報が改善、あるいは、劣化していなければ、当該ＯＮＵ２が消光不良状態にあるＯＮＵであると特定し、常時の消光を指示する常時消光指示コマンドを当該ＯＮＵ２に送信するＯＬＴ１を設け、複数のＯＮＵ２が、ＯＬＴ１から一時消光指示コマンドを受信すると、光送信部２２における光信号の発光を一時的に停止し、ＯＬＴ１から常時消光指示コマンドを受信すると、光送信部２２における光信号の発光を停止して、発光の停止状態を維持するように構成したので、システム保守者が手動でＯＮＵ２を指定して、消光制御するコマンドを発行するなどの手間を要することなく、簡単に、消光不良状態にあるＯＮＵ２を特定することができるとともに、消光不良状態にあるＯＮＵ２を確実にシステムから隔離することができる効果を奏する。
【図面の簡単な説明】
【００６７】
【図１】この発明の実施の形態１による光通信システムを示す構成図である。
【図２】この発明の実施の形態１による光通信システムの処理内容を示すフローチャートである。
【図３】ＯＬＴ１とＯＮＵ２が送受信するＭＡＣフレームを含むパケットを示すパケット構成図である。
【図４】この発明の実施の形態２による光通信システムを示す構成図である。
【図５】この発明の実施の形態２による光通信システムの処理内容を示すフローチャートである。
【図６】この発明の実施の形態３による光通信システムを示す構成図である。
【図７】この発明の実施の形態３による光通信システムの処理内容を示すフローチャートである。
【符号の説明】
【００６８】
１  ＯＬＴ（局側装置）、２  ＯＮＵ（加入者装置）、３  監視制御端末、４  受動型光分岐器、５  光ネットワーク、１１  光送信部（一時消光指示コマンド送信手段、発光指示コマンド送信手段、常時消光指示コマンド送信手段）、１２  光受信部、１３  ＯＮＵリンクアップデータベース（不良装置特定手段）、１４  ＰＯＮインタフェース終端部（一時消光指示コマンド送信手段、常時消光指示コマンド送信手段、不良装置特定手段）、２１  光受信部（光送信部制御手段）、２２  光送信部、２３  ＰＯＮインタフェース終端部（光送信部制御手段）、２４  記憶回路（光送信部制御手段）、２５  光送信部消光制御部（光送信部制御手段）、３１  ＰＯＮインタフェース終端部（一時消光指示コマンド送信手段、発光指示コマンド送信手段、常時消光指示コマンド送信手段、不良装置特定手段）、４１  光送信部消光制御部（光送信部制御手段）、５１  上り統計情報確認部（不良装置特定手段）、５２  ＰＯＮインタフェース終端部（一時消光指示コマンド送信手段、常時消光指示コマンド送信手段、不良装置特定手段）。
【図１】
0004722109.tif 000002
【図２】
0004722109.tif 000003
【図３】
0004722109.tif 000004
【図４】
0004722109.tif 000005
【図５】
0004722109.tif 000006
【図６】
0004722109.tif 000007
【図７】
0004722109.tif 000008